(57)【特許請求の範囲】
【請求項１】
底部と開口部とを備える鉢状の意匠カバーであって、前記底部から前記開口部に向かって形成される曲面部を備える意匠カバーと、
複数の光源を備える光源基板とを備え、
前記意匠カバーは、
前記曲面部に形成された複数の孔であって、前記底部から前記開口部の縁に向かって略放射状に位置するように形成された複数の孔を備え、
前記光源基板は、
前記複数の光源の各光源を前記複数の孔の各孔に挿入するように前記意匠カバーの外面に沿って設置される
ことを特徴とする光源ユニット。
【請求項２】
前記光源ユニットは、さらに、
前記意匠カバーと略同一形状のユニットカバーであって、前記意匠カバーの外面に沿って設置された前記光源基板を覆って前記意匠カバーに被せられるユニットカバーを備え、
前記光源基板は、
前記ユニットカバーと前記意匠カバーとの間に挟まれて固定されることを特徴とする請求項１に記載の光源ユニット。
【請求項３】
前記光源ユニットは、さらに、
前記ユニットカバーと前記意匠カバーとの間に前記光源基板を挟んだ状態で、前記ユニットカバーと前記光源基板と前記意匠カバーとを固定する枠部を備えることを特徴とする請求項２に記載の光源ユニット。
【請求項４】
前記光源基板は、
基板底部と基板開口部と前記基板底部から前記基板開口部に向かって形成される基板曲面部とを備える鉢状であり、前記基板曲面部は前記基板底部から前記基板開口部の縁に向かって略放射状にカットされたカット部を備えることを特徴とする請求項１〜３のいずれかに記載の光源ユニット。
【請求項５】
前記光源ユニットは、
前記意匠カバーの前記曲面部によって前記基板曲面部の前記カット部の間隔を調節することにより、前記複数の光源の配光を制御することを特徴とする請求項４に記載の光源ユニット。
【請求項６】
前記光源基板は、フレキシブル基板であることを特徴とする請求項１〜５のいずれかに記載の光源ユニット。
【請求項７】
光を通過させる素材により形成される鉢状の意匠カバーを備え、
前記意匠カバーと略同一形状のエレクトロルミネッセンスであって、前記意匠カバーの外面に被せるように設置されるエレクトロルミネッセンスを光源として備えることを特徴とする光源ユニット。
【請求項８】
請求項１〜７のいずれかに記載の光源ユニットと、前記光源ユニットの備える光源を点灯する点灯装置とを備えることを特徴とする照明器具。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を光源として用いる光源ユニットに関するものであり、特に、フレキシブル基板を用いて配光の制御を行う光源ユニットに関する。
【背景技術】
【０００２】
従来のＬＥＤを光源とした照明器具において、ＬＥＤから出る光を集光レンズによって、集光させる技術がある（特許文献１参照）。また、拡散レンズを用いることにより、ＬＥＤから出る光の配光を実現する技術がある。
【先行技術文献】
【特許文献】
【０００３】
【特許文献１】特許第４３４１２４５号公報
【発明の概要】
【発明が解決しようとする課題】
【０００４】
従来のＬＥＤ照明器具の配光技術では、集光レンズや拡散レンズを用いるため、レンズのコストがかかり、照明器具全体としてのコストも高くなるという課題がある。また、例えば、ＬＥＤを光源としたダウンライト等は、主に拡散レンズにより配光の幅を持たせているが、拡散レンズによる配光では配光制御が困難であるという課題がある。
【０００５】
本発明は、上記のような課題を解決するためのものであり、レンズを使用することなくＬＥＤの発する光の配光制御を実現することのできる照明器具を提供することを目的とする。
【課題を解決するための手段】
【０００６】
本発明に係る光源ユニットは、
底部と開口部とを備える鉢状の意匠カバーであって、前記底部から前記開口部に向かって形成される曲面部を備える意匠カバーと、
複数の光源を備える光源基板とを備え、
前記意匠カバーは、
前記曲面部に形成された複数の孔であって、前記底部から前記開口部の縁に向かって略放射状に位置するように形成された複数の孔を備え、
前記光源基板は、
前記複数の光源の各光源を前記複数の孔の各孔に挿入するように前記意匠カバーの外面に沿って設置される
ことを特徴とする。
【発明の効果】
【０００７】
本発明に係る光源ユニットは、底部と開口部とを備える鉢状の意匠カバーであって、前記底部から前記開口部に向かって形成される曲面部を備える意匠カバーと、複数の光源を備える光源基板とを備え、前記意匠カバーは、前記曲面部に形成された複数の孔であって、前記底部から前記開口部の縁に向かって略放射状に位置するように形成された複数の孔を備え、前記光源基板は、前記複数の光源の各光源を前記複数の孔の各孔に挿入するように前記意匠カバーの外面に沿って設置されるので、光源ユニットの半径を変更することにより光源（ＬＥＤ）で最も強い光を放つ直下光を制御することができ、レンズを使用せずに、スポット配光やバッドウイング配光を得ることができるので、照明器具のコストを低減することができる。また、レンズを使用しないことで、レンズを透過する際にロスになる光をなくすことができ、光源の照射効率を向上させることができる。
【図面の簡単な説明】
【０００８】
【図１】実施の形態１に係る照明器具１００の斜視図である。
【図２】実施の形態１に係る照明器具１００の分解斜視図である。
【図３】実施の形態１に係る照明器具１００の光源ユニット３０と枠部１５との固定部分の部分断面図である。
【図４】実施の形態１に係る照明器具１００の光源ユニット３０の一部破断図及びＢ部拡大断面図である。
【図５】実施の形態１に係る照明器具１００の光源ユニット３０のスポット配光を示す配光図である。
【図６】実施の形態２に係る照明器具１００の光源ユニット３０のバッドウィング配光を示す配光図である。
【図７】実施の形態３に係る照明器具１００ａの斜視図である。
【図８】実施の形態３に係る照明器具１００ａの分解斜視図である。
【発明を実施するための形態】
【０００９】
実施の形態１．
以下、本実施の形態について、図を用いて説明する。
【００１０】
図１は、本実施の形態に係る照明器具１００の斜視図である。図２は、本実施の形態に係る照明器具１００の分解斜視図である。図３は、本実施の形態に係る照明器具１００の光源ユニット３０と枠部１５との固定部分の断面図である。図４は、本実施の形態に係る照明器具１００の光源ユニット３０の一部破断図（部分断面図）及びＢ部拡大断面図である。図１〜図４を用いて、本実施の形態に係る照明器具１００の構成について説明する。
【００１１】
本実施の形態に係る照明器具１００は、例えば、天井等の取付穴に埋め込まれて取り付けられるダウンライト等を想定している。
【００１２】
照明器具１００は、照明器具本体２０と、光源ユニット３０と、光源ユニット３０に取り付けられる枠部１５とを備える。枠部１５は、天井等の取付穴に照明器具を固定するための取付バネ１５１を備える。
【００１３】
照明器具本体２０には、点灯装置８０と電源端子台９０とがネジ（図示なし）によりネジ止めされ取り付けられている。点灯装置８０は、光源ユニット３０の備えるＬＥＤ４０（光源）を点灯させる。点灯装置８０は、光源ユニット３０と電気的に接続されている。また、電源端子台９０は、点灯装置８０に電源を供給する。電源端子台９０は、点灯装置８０と電気的に接続されている。
【００１４】
図２に示すように、光源ユニット３０は、意匠カバー７０と、フレキシブル基板５０（光源基板）と、ユニットカバー６０とを備える。
【００１５】
意匠カバー７０は、底部７１と開口部７２とを備える鉢状（ボウル（ｂｏｗｌ）状、椀状）であって、底部７１から開口部７２に向かって形成される曲面部７３を備える。また、意匠カバー７０は、曲面部７３に形成された複数の抜け穴７ａ（孔）を備える。複数の抜け穴７ａは、底部７１から開口部７２の縁部７４に向かって略放射状に位置している。図２では、底部７１から縁部７４に向かう放射線状の軸（以下、放射線状の軸７５ともいう）が略等間隔に８本あり、１つの放射線状の軸７５上には４つの抜け穴７ａが略等間隔に並んで形成されている。すなわち、意匠カバー７０の曲面部７３には、「４個の抜け穴７ａ」×「８本の放射線状の軸７５」＝「３２個の抜け穴７ａ」が形成されている。
【００１６】
意匠カバー７０は、縁部７４から外側方向に略水平に突出したつば部７ｂと、つば部７ｂの端部である爪部７ｃとを備える。つば部７ｂ及び爪部７ｃは、光源ユニット３０を枠部１５に固定する構成部である。光源ユニット３０を枠部１５に固定する方法については後述する。
【００１７】
意匠カバー７０は、絶縁物により形成される。
【００１８】
フレキシブル基板５０（光源基板）は、複数のＬＥＤ４０（光源）を備えるＬＥＤ基板である。また、フレキシブル基板５０は、柔軟性があり変形可能である。
【００１９】
フレキシブル基板５０は、基板底部５１と基板開口部５２と、基板底部５１から基板開口部５２に向かって形成される基板曲面部５３とを備える鉢状（ボウル（ｂｏｗｌ）状、椀状）である。基板曲面部５３は、基板底部７１から基板開口部５２の基板縁部５４に向かって略放射状にカットされたカット部５６を備える。
【００２０】
図２に示すように、フレキシブル基板５０は、基板底部５１の中央部５１０から基板縁部５４までを切り欠いたカット部５６を８カ所備える。フレキシブル基板５０の基板曲面部５３は、８カ所のカット部５６により８個（８枚）に分割される。すなわち、フレキシブル基板５０は、中央部５１０を接続部として８つの花びらを有する花状である。
【００２１】
フレキシブル基板５０は、上述した１つの花びら部分に、基板底部５１の中央部５１０から基板縁部５４までの放射線状の軸（基板放射線状の軸５５という）上に４つのＬＥＤ４０を実装する。４つのＬＥＤ４０を実装する１つの花びら部分を実装部５と呼ぶ。フレキシブル基板５０は、８つの実装部５（実装部５ａ〜実装部５ｈ）を備える。
【００２２】
フレキシブル基板５０は、８個の実装部５ａ〜５ｈの各実装部５に１本ずつ基板放射線状の軸５５を有し、基板放射線状の軸５５上に４つのＬＥＤ４０を実装する。すなわち、フレキシブル基板５０は、８本の基板放射線状の軸５５を有し各基板放射線状の軸５５上に４つのＬＥＤ４０を実装するので、全体で３２個のＬＥＤ４０を実装する。
【００２３】
ユニットカバー６０は、意匠カバー７０と略同一形状である。ユニットカバー６０は、ユニットカバー底部６１とユニットカバー開口部６２と、ユニットカバー底部６１からユニットカバー開口部６２に向かって形成されたユニットカバー曲面部６３とを備える鉢状（ボウル（ｂｏｗｌ）状、椀上）であり、形状は意匠カバー７０と略同一である。
【００２４】
ユニットカバー６０は、ユニットカバー開口部６２の縁から外側に延設されたユニットカバーフリンジ部６４を備える。ユニットカバー６０は、絶縁物で形成される。例えば、絶縁物が貼付されたアルミカバー等でもよい。絶縁物が貼付されたアルミカバーで形成されたユニットカバー６０は、フレキシブル基板５０の発する熱を放熱する放熱体でもある。
【００２５】
枠部１５は、枠開口部１５５を有する。また、図２及び３に示すように、枠部１５は、ドーナツ状（リング状）の外枠部１５ｃと、外枠部１５ｃの内側に立設する部位を有する内枠部１５ａと、内枠部１５ａに設けられる取付穴１５ｂと、内枠部１５ａに取り付けられ内枠部１５ａから外側（及び天井面側）に突出するＶ字状の取付バネ１５１とを備える。
【００２６】
図３に示すように、内枠部１５ａは、外枠部１５ｃの内側に立設する部分である内枠立設部１５２と、内枠立設部１５２から延設され、外枠部１５ｃの照射方向側に沿って形成される内枠フリンジ部１５３とを備える。すなわち、内枠部１５ａは、断面略Ｌ字状である。内枠フリンジ部１５３には、取付穴１５ｂが形成される。図３に示すように、取付穴１５ｂに意匠カバー７０の爪部７ｃが挿入されることにより、枠部１５がユニットカバー６０とフレキシブル基板５０と意匠カバー７０とを固定する。
【００２７】
次に、光源ユニット３０の組み立て方法について説明する。
【００２８】
フレキシブル基板５０は、ＬＥＤ４０を意匠カバー７０の抜け穴７ａに挿入するように意匠カバー７０の外面に沿って設置される。意匠カバー７０の曲面部７３の放射線状の軸７５上に形成された４つの抜け穴７ａに、１つの実装部５の基板放射線状の軸５５上に実装された４つのＬＥＤ４０を挿入しながら、フレキシブル基板５０を意匠カバー７０の外面に這わせるように設置する。
【００２９】
図４に示すように、フレキシブル基板５０は、抜け穴７ａからフレキシブル基板５０に実装されたＬＥＤ４０を外観に出すように、意匠カバー７０の外郭に取り付けられる。図４のＢ部拡大図に示すように、ＬＥＤ４０は、意匠カバー７０の外側から意匠カバー７０の内側を臨むように抜け穴７ａに挿入され設置される。このとき、ＬＥＤ４０の直下光の照射方向４１が、抜け穴７ａ部分の曲面部の接線７７と略直角になるように設置するのが好ましい。ＬＥＤ４０の直下光の照射方向４１が、抜け穴７ａ部分の曲面部の接線７７と略直角になるように設置することにより、後述する配光制御の精度が向上するからである。
【００３０】
ユニットカバー６０は、意匠カバー７０の外面に沿って設置されたフレキシブル基板５０を覆って意匠カバー７０に被せられる。ユニットカバー６０は、ユニットカバー６０と意匠カバー７０とでフレキシブル基板５０を挟んで取り付けられる。
【００３１】
意匠カバー７０とフレキシブル基板５０とユニットカバー６０とから構成される光源ユニット３０は、照射方向側から枠部１５の枠開口部１５５に挿入される（図２参照）。
【００３２】
図３の斜線部に示すように、光源ユニット３０は、意匠カバー７０とフレキシブル基板５０とユニットカバー６０とが重なった状態で枠開口部１５５に照射方向側から挿入される。また、意匠カバー７０のつば部７ｂの天井面側にユニットカバー６０のユニットカバーフリンジ部６４が接するように配置される。
【００３３】
意匠カバー７０の爪部７ｃが、枠部１５の内枠フリンジ部１５３に設けられた取付穴１５ｂにはめこまれる。そして、爪部７ｃ（つば部７ｂ）をかしめることにより、枠部１５にユニットカバー６０とフレキシブル基板５０と意匠カバー７０とが固定される。
【００３４】
さらに、ネジ１２（図２）によって、意匠カバー７０及びユニットカバー６０（光源ユニット３０）が、照明器具本体２０に固定される。
【００３５】
なお、本実施の形態では、ユニットカバー６０が絶縁物である場合を説明したが、ユニットカバー６０を構成する材質は非絶縁物であってもよい。この場合、ユニットカバー６０とフレキシブル基板５０との間に別途絶縁物を設ける必要がある。
【００３６】
フレキシブル基板５０のカット部５６の間隔は、広げたり狭くしたりすることができる。したがって、意匠カバー７０の開口部７２の径（ユニット径Ｌ１）を広くしたり狭くしたりしても、同一のフレキシブル基板５０で対応することができる。
【００３７】
本実施の形態では、フレキシブル基板５０を８枚の花びらを有する形状、すなわち、８枚の実装部５（５ａ〜５ｈ）を備える形状とした。しかし、４枚の実装部、６枚の実装部、１０枚の実装部、あるいは１２枚の実装部でも良い。また、本実施の形態では、１つの実装部に４つのＬＥＤ４０を実装したが、１つの実装部に実装するＬＥＤ４０の数も、例えば、２個、３個、５個、・・・、１０個等、あるいはそれ以上の個数でも良い。照明器具の使用目的や設置場所によって器具の大きさや配光設計等が異なるが、本実施の形態は適宜柔軟に適用可能である。
【００３８】
次に、本実施の形態に係る照明器具１００（光源ユニット３０）の配光制御について説明する。
【００３９】
照明器具１００は、フレキシブル基板５０の基板曲面部５３のカット部５６の間隔を調節することにより、複数のＬＥＤ４０の配光を制御する。基板曲面部５３のカット部５６の間隔を調節するとは、光源ユニット３０のユニット径Ｌ１を調節することでもある。すなわち、照明器具１００は、光源ユニット３０のユニット径Ｌ１を調節することにより、複数のＬＥＤ４０の配光を制御する。
【００４０】
あるいは、フレキシブル基板５０の基板曲面部５３のカット部５６の間隔を調節するとは、基板曲面部５３の曲面の曲げ径を調節することでもある。すなわち、照明器具１００は、後述するように、光源ユニット３０の曲面部７３の曲げ径Ｒを調節することにより、複数のＬＥＤ４０の配光を制御する。
【００４１】
図５は、本実施の形態に係る照明器具１００の光源ユニット３０の配光（スポット配光）を示す配光図である。
【００４２】
光源ユニット３０の内径（ユニット径Ｌ１）をＡ（Ｌ１＝Ａ）、光源ユニット３０の端部（光源ユニット端部３１）から集光させたい位置Ｐ点までの直下距離をＬとする。このとき、光源ユニット３０の曲げ径Ｒは、以下の式１となる。
Ｒ＝√（（Ａ／２）２＋Ｌ２）・・・・・（式１）
【００４３】
照明器具１００から真下へ距離Ｌ離れた位置Ｐ点に、ＬＥＤ４０の直下光を集光させるスポット配光となるように光源ユニット３０を設定する場合を想定する。すなわち、開口部７２の略中心から開口部７２の開口面に略垂直な方向へ向かって距離Ｌ離れた位置がＰ点である。式１の関係を満たすように、Ｌと光源ユニットの曲げ径Ｒとユニット径Ｌ１＝Ａとを設定することにより、Ｐ点にＬＥＤ４０の直下光を集光するスポット配光とすることができる。
【００４４】
図４で説明したように、ＬＥＤ４０が発する光のうち最も強い光を放つ直下光の照射方向４１は、光源ユニット３０の曲面部の接線７７に略垂直となっている。したがって、上記のように設定された照明器具１００は、高い精度でＰ点にＬＥＤ４０の直下光を集光することができる。
【００４５】
以上のように、光源ユニット３０の曲げ径Ｒを変えることで、ＬＥＤ４０から出る一番強い光である直下光を制御することができる。
【００４６】
本実施の形態では、光源ユニット３０の形状が、曲げ径Ｒ（半径Ｒ）の球面の一部をなしている場合を想定している。すなわち、本実施の形態の照明器具１００は、上記式１を満たすように、曲げ径Ｒとユニット径Ｌ１（＝Ａ）とＬ（Ｐ点までの距離）とが設定されている場合、集光レンズ等を装着しなくても、光源ユニット３０に実装された複数のＬＥＤ４０の直下光がＰ点近傍に集光するスポット配光を実現することができる。また、意匠カバー７０（及びユニットカバー６０）の形状を変更することで、曲げ径Ｒとユニット径Ｌ１とを変更することができるので、ＬＥＤ４０の直下光を集光させたい位置（Ｐ点）を変更することができる。
【００４７】
本実施の形態に係る照明器具１００は、低コストで配光制御を実現することができる。ＬＥＤを光源としたダウンライトは主に、拡散レンズにより配光の幅を持たせてきた。そのため、配光制御が困難であり、レンズのコストも高かった。しかし、本実施の形態では、光源ユニット３０の半径を変更することにより、光源（ＬＥＤ）で最も強い光を放つ直下光を制御することができるので、コストを低減することができる。また、本実施の形態に係る照明器具１００では、レンズを使用しないので、レンズを透過する際にロスになる光をなくすことができ、ＬＥＤ４０の照射効率を向上することができる。
【００４８】
実施の形態２．
本実施の形態では、照明器具１００がバッドウィング配光を実現するための配光制御について説明する。照明器具１００の構成及び構造については実施の形態１の図１〜図４の内容と同様であるため、その説明を省略する。本実施の形態では、照明器具１００がバッドウィング配光を実現するための配光制御について説明する。
【００４９】
図６は、本実施の形態に係る照明器具１００の光源ユニット３０のバッドウィング配光を示す配光図である。
【００５０】
図６に示すように、本実施の形態に係る光源ユニット３０の断面は、フレキシブル基板５０の中央部５１０（図２参照）に対応する位置（以下、頂点部３１０とする）を中心に対称関係にある２つの曲面部Ａ７３ａ，曲面部Ｂ７３ｂを備える。
【００５１】
実施の形態１の光源ユニット３０は、図５に示すように、曲面部７３の断面が頂点部３１０を中心に対称関係ではあるが、曲面部７３の断面が１つの円弧を形成する形状であった。本実施の形態に係る光源ユニット３０は、曲面部７３（頂点部３１０を中心に対称関係にある曲面部Ａ７３ａ及び曲面部Ｂ７３ｂ）の断面は１つの円弧を形成するのではなく、頂点部３１０を中心として対称に２つの円弧が形成された形状となっている。例えば、図６の曲面部７３（曲面部Ａ７３ａ及び曲面部Ｂ７３ｂ）の形状は、図５の光源ユニット３０のユニット径Ｌ１をＡより小さくすることにより、図５の曲面部７３を頂点部３１０で折ったような形状である。
【００５２】
本実施の形態では、図６に示すように光源ユニット３０のユニット径Ｌ１はＢとする（Ｌ１＝Ｂ）。また、曲面部Ａ７３ａ及び曲面部Ｂ７３ｂの曲げ径ＲもＢとする（Ｒ＝Ｂ）。すなわち、ユニット径Ｌ１＝曲げ径Ｒ＝Ｂである。図５の光源ユニット３０のユニット径Ｌ１＝Ａと、図６に示す光源ユニット３０のユニット径Ｌ１＝Ｂとの関係は、Ａ＞Ｂである。
【００５３】
ユニット径Ｌ１＝曲げ径Ｒ＝Ｂとすると、実施の形態１で説明した原理から、曲面部Ａ７３ａの断面上のＬＥＤ４０の直下光は、集光点Ｐａに集光する。また、曲面部Ｂ７３ｂの断面上のＬＥＤ４０の直下光は、集光点Ｐｂに集光する。すなわち、本実施の形態の光源ユニット３０は、ＬＥＤ４０の強い直下光を左右に飛ばしたバッドウイング配光となる。
【００５４】
図２に示すように、８つの実装部５ａ〜５ｈに実装されたＬＥＤ４０は、それぞれ対向する開口部７２（基板開口部５２、ユニットカバー開口部６２）の縁部７４近傍に集光し縁部７４近傍から光源ユニット３０の外側に照射される。これにより、机上面または床面を均一な明るさにするバッドウィング配光を実現することができる。
【００５５】
本実施の形態の照明器具１００は、ユニット径Ｌ１＝（曲面部Ａ７３ａ及び曲面部Ｂ７３ｂの）曲げ径Ｒ＝Ｂを満たすように設定されている場合、拡散レンズ等を装着しなくても、光源ユニット３０に実装された複数のＬＥＤ４０の直下光が縁部７４近傍に集光し縁部７４近傍から光源ユニットの外側に照射されるので、バッドウィング配光を実現することができる。
【００５６】
意匠カバー７０（及びユニットカバー６０）の形状を変更することで、図６に示すような光源ユニット３０の形状とすることができる。したがって、本実施の形態に係る照明器具１００は、低コストでバッドウィング配光制御を実現することができる。
【００５７】
以上のように、本実施の形態に係る照明器具１００は、光源ユニット３０の半径を変更することにより光源（ＬＥＤ）で最も強い光を放つ直下光を制御することができ、レンズを使用せずに低コストでバッドウィング配光制御を実現することができる。また、レンズを使用しないことにより、レンズを通過した場合の光のロスをなくすことができ、ＬＥＤ照射効率も向上させることができる。
【００５８】
実施の形態３．
本実施の形態では、光源をＥＬ（エレクトロルミネッセンス）とする光源ユニット３０ａを備える照明器具１００ａについて説明する。ＥＬには、例えば、有機ＥＬ、無機ＥＬが含まれる。
【００５９】
図７は、本実施の形態に係る照明器具１００ａの斜視図である。図８は、本実施の形態に係る照明器具１００ａの分解斜視図である。実施の形態１で説明した図１及び図２と同様の構成部については同一の符号を付し、その説明を省略する。
【００６０】
照明器具１００ａは、光源ユニット３０ａを備える。光源ユニット３０ａは、ユニットカバー６０（実施の形態１と同様の形状）と、有機ＥＬ１３０と、光透過性のある意匠カバー（以下、透光カバー１４０とする）とを備える。本実施の形態では、有機ＥＬ１３０を用いているが、無機ＥＬでもよい。
【００６１】
透光カバー１４０は、底部と開口部と、底部から開口部に向かって形成される透光カバー曲面部１４３とを備えた形状（鉢状）である。透光カバー１４０の形状は、実施の形態１で説明した意匠カバー７０と同様である。透光カバー１４０の素材は、光を通過させる素材であり絶縁物である。
【００６２】
有機ＥＬ１３０は、透光カバー１４０と略同一形状であり、透光カバー１４０に被せるように設置される。ただし、有機ＥＬ１３０の底部は開口している。つまり、有機ＥＬ１３０は、広げると扇形であり、透過性のある意匠カバー（透光カバー１４０）の外面に這うように取り付けられる。
【００６３】
扇形の有機ＥＬ１３０の両端部を接続すると、鉢状（ボウル（ｂｏｗｌ）状、椀状）の有機ＥＬ１３０となる。有機ＥＬ１３０は、扇形の有機ＥＬ１３０の両端部を連結して鉢状とする。有機ＥＬ１３０は、扇形の両端部の連結部分（内径調節部１３１）の重なり幅を調節することにより、透光カバー１４０の外面に沿うように設置される。
【００６４】
ユニットカバー６０は、有機ＥＬ１３０を覆うように有機ＥＬ１３０に被せられる。光源ユニット３０ａは、ユニットカバー６０と透光カバー１４０とにより有機ＥＬ１３０を挟んで固定される。ユニットカバー６０の材質は絶縁物が望ましい。材質が非絶縁物の場合、ユニットカバー６０と有機ＥＬ１３０との間に絶縁物を設ける必要がある。
【００６５】
光源ユニット３０ａは照明器具本体２０にネジにて取り付けられる。
【００６６】
透光カバー１４０は、実施の形態１で説明した意匠カバー７０と同様の形状であり、つば部７ｂに対応する透光カバーつば部１４７ｂと、爪部７ｃに対応する透光カバー爪部１４７ｃとを備える。枠部１５を用いてユニットカバー６０と有機ＥＬ１３０と透光カバー１４０とを固定する方法は、実施の形態１で説明したものと同様である。
【００６７】
光源ユニット３０ａの配光制御方法は、透光カバー曲面部１４３の曲げ径Ｒ（有機ＥＬ１３０の曲面部の曲げ径Ｒ）を調節したり、ユニット径Ｌ１を調節したりすることにより実現する。光源ユニット３０ａの配光制御方法については、実施の形態１あるいは実施の形態２で説明した配光制御方法を適用することができる。
【００６８】
以上のように、本実施の形態の照明器具１００ａでは、実施の形態１あるいは実施の形態２に係る照明器具１００の備えるＬＥＤ４０（光源）の代わりに有機ＥＬ１３０を使用したものである。有機ＥＬ１３０を使用することで、より均一な配光を得ることができる。
【００６９】
以上、実施の形態１〜３について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【符号の説明】
【００７０】
５，５ａ，５ｂ，５ｃ，５ｄ，５ｅ，５ｆ，５ｇ，５ｈ  実装部、７ａ  抜け穴、７ｂ  つば部、７ｃ  爪部、１２  ネジ、１５  枠部、１５ａ  内枠部、１５ｂ  取付穴、１５ｃ  外枠部、２０  照明器具本体、３０，３０ａ  光源ユニット、３１  光源ユニット端部、４０  ＬＥＤ、４１  直下光の照射方向、５０  フレキシブル基板、５１  基板底部、５２  基板開口部、５３  基板曲面部、５４  基板縁部、５５  基板放射線状の軸、５６  カット部、６０  ユニットカバー、６１  ユニットカバー底部、６２  ユニットカバー開口部、６３  ユニットカバー曲面部、６４  ユニットカバーフリンジ部、７０  意匠カバー、７１  底部、７２  開口部、７３  曲面部、７３ａ  曲面部Ａ、７３ｂ  曲面部Ｂ、７４  縁部、７５  放射線状の軸、７７  曲面部の接線、８０  点灯装置、９０  電源端子台、１００，１００ａ  照明器具、１３０  有機ＥＬ、１３１  内径調節部、１４０  透光カバー、１４３  透光カバー曲面部、１４７ｂ  透光カバーつば部、１４７ｃ  透光カバー爪部、１５１  取付バネ、１５２  内枠立設部、１５３  内枠フリンジ部、１５５  枠開口部、３１０  頂点部、５１０  中央部。
【図１】
0005528238.tif 000002
【図２】
0005528238.tif 000003
【図３】
0005528238.tif 000004
【図４】
0005528238.tif 000005
【図５】
0005528238.tif 000006
【図６】
0005528238.tif 000007
【図７】
0005528238.tif 000008
【図８】
0005528238.tif 000009